(57)【特許請求の範囲】
【請求項１】
遊技媒体が流下する遊技領域を有した遊技盤と、
前記遊技領域から遊技媒体を受け入れ、その受け入れた遊技媒体が択一的に流入する複数の分岐通路を有し、何れの前記分岐通路に遊技媒体が流入したかによって遊技者に付与する特典の有無又は大小を選択する選択演出部と、
枠状をなしかつ一部に遊技盤の左右方向に延びた転動部を有し、前記遊技領域から遊技媒体を受け入れて、前記転動部上を転動させてから前記遊技領域へと排出する転動演出枠とを備えた遊技機において、
前記転動演出枠のうち前記転動部の後方に設けられて、遊技媒体が前記転動部より後側に移動しないように規制するパネルを備え、
前記パネルに、その後側を視認可能とする視認部を設け、
前記視認部に含まれる情報報知用視認部の後方に、遊技情報を遊技者に報知する遊技情報報知部を配置し、
前記視認部に含まれる選択演出用視認部の後方に、前記選択演出部のうち少なくとも前記複数の分岐通路に分岐した選択分岐部を配置して何れかの前記分岐通路に遊技媒体が流入したかを遊技者に視認可能とすると共に、前記パネルにて前記選択分岐部と前記転動部との間における遊技媒体の移動を禁止し、
前記転動演出枠又は前記遊技領域に、前記遊技領域から遊技媒体を前記選択演出部に受け入れるための分岐選択用受入口を設けたことを特徴とする遊技機。
【請求項２】
前記パネルの後方部又は裏面には、前記遊技情報報知部と前記選択演出部とは別の部材が設けられる又は形成されており、前記パネルには、その部材を視認不能とする又は視認し難くするカバー装飾部が備えられていることを特徴とする請求項１に記載の遊技機。
【請求項３】
前記情報報知用視認部と前記選択演出用視認部とが、前記パネルにて、前記転動部の延びている左右方向に並べて配置されていることを特徴とする請求項１又は２に記載の遊技機。
【請求項４】
前記選択分岐部には、前記複数の分岐通路に少なくとも含まれる第１と第２の前記分岐通路が、前記遊技盤の左右方向に並べて配置され、前記第１と第２の前記分岐通路の上方側で、前記第１と第２の前記分岐通路のうち何れかに振り分けるための振分部材が設けられたことを特徴とする請求項１乃至３の何れか１の請求項に記載の遊技機。
【請求項５】
前記転動部の少なくとも一部は、前記転動演出枠の少なくとも一方の端部側から他方の端部側に向かって下るように傾斜し、前記下るように傾斜している部分の後方側に前記選択分岐部が位置しており、前記選択分岐部には、前記傾斜する方向と略同一又は同一の方向に下るように傾斜して遊技媒体が転動する傾斜路が備えられ、前記第１と第２の分岐通路は、前記傾斜路における遊技媒体の転動方向における２位置から下方に延びるように形成されたことを特徴とする請求項４に記載の遊技機。
【請求項６】
前記パネルには、後方に突出し、少なくとも一部を前記選択演出用視認部として区画する区画リブが備えられ、
透過性を有し、前記区画リブの内面に面当接した状態に組み付けられる分岐ケースが前記転動演出枠と別部品にして設けられ、前記分岐ケースの内部に前記選択分岐部を備えたことを特徴とする請求項１乃至５の何れか１の請求項に記載の遊技機。
【発明の詳細な説明】
【技術分野】
【０００１】
本発明は、遊技媒体が転動可能な転動部を備えた遊技機に関する。
【背景技術】
【０００２】
従来、この種の遊技機として、例えば、液晶表示画面を囲む転動演出枠のうち下辺部上面の全体が転動部になっているものが知られている（例えば、特許文献１参照）。これに対し、近年、装飾枠の下辺部上面の一部を選択分岐部とし、残りを転動部としたものが提案されている。その選択分岐部内には、択一的に流入し得る第１と第２の分岐通路が備えられている。そして、第１と第２の何れの分岐通路に遊技媒体が流入したかの振分処理によって遊技者に付与する特典の有無が抽選され、その振分処理を遊技者が視認することができるようになっている（例えば、特許文献２参照）。
【先行技術文献】
【特許文献】
【０００３】
【特許文献１】特開２０００−２０２１４１号公報（図１）
【特許文献２】特開２０１０−１３１３７８号公報（図３）
【発明の概要】
【発明が解決しようとする課題】
【０００４】
ところで、上述した構成の遊技機では、転動部における遊技媒体の転動動作と選択分岐部における振分処理の両方を僅かな視線の移動で視認することができるので、遊技者の疲労が抑えられ、長時間に亘って遊技を楽しむことができるという利点がある一方、転動部が狭くなって転動動作の趣向性が低下するという欠点があった。
【０００５】
本発明は、上記事情に鑑みてなされたもので、転動動作の趣向性を下げずに、遊技を長時間に亘って楽しませることが可能な遊技機の提供を目的とする。
【課題を解決するための手段】
【０００６】
上記目的を達成するためになされた請求項１の発明に係る遊技機は、遊技媒体が流下する遊技領域を有した遊技盤と、遊技領域から遊技媒体を受け入れ、その受け入れた遊技媒体が択一的に流入する複数の分岐通路を有し、何れの分岐通路に遊技媒体が流入したかによって遊技者に付与する特典の有無又は大小を選択する選択演出部と、枠状をなしかつ一部に遊技盤の左右方向に延びた転動部を有し、遊技領域から遊技媒体を受け入れて、転動部上を転動させてから遊技領域へと排出する転動演出枠とを備えた遊技機において、転動演出枠のうち転動部の後方に設けられて、遊技媒体が転動部より後側に移動しないように規制するパネルを備え、パネルに、その後側を視認可能とする視認部を設け、視認部に含まれる情報報知用視認部の後方に、遊技情報を遊技者に報知する遊技情報報知部を配置し、視認部に含まれる選択演出用視認部の後方に、選択演出部のうち少なくとも複数の分岐通路に分岐した選択分岐部を配置して何れかの分岐通路に遊技媒体が流入したかを遊技者に視認可能とすると共に、パネルにて選択分岐部と転動部との間における遊技媒体の移動を禁止し、転動演出枠又は遊技領域に、前記遊技領域から遊技媒体を選択演出部に受け入れるための分岐選択用受入口を設けたところに特徴を有する。
【０００７】
請求項２の発明は、請求項１に記載の遊技機において、パネルの後方部又は裏面には、遊技情報報知部と選択演出部とは別の部材が設けられる又は形成されており、パネルには、その部材を視認不能とする又は視認し難くするカバー装飾部が備えられているところに特徴を有する。
【０００８】
請求項３の発明は、請求項１又は２に記載の遊技機において、情報報知用視認部と選択演出用視認部とが、パネルにて、転動部の延びている左右方向に並べて配置されているところに特徴を有する。
【０００９】
請求項４の発明は、請求項１乃至３の何れか１の請求項に記載の遊技機において、選択分岐部には、複数の分岐通路に少なくとも含まれる第１と第２の分岐通路が、遊技盤の左右方向に並べて配置され、第１と第２の分岐通路の上方側で、第１と第２の分岐通路のうち何れかに振り分けるための振分部材が設けられたところに特徴を有する。
【００１０】
請求項５の発明は、請求項４に記載の遊技機において、転動部の少なくとも一部は、転動演出枠の少なくとも一方の端部側から他方の端部側に向かって下るように傾斜し、下るように傾斜している部分の後方側に選択分岐部が位置しており、選択分岐部には、傾斜する方向と略同一又は同一の方向に下るように傾斜して遊技媒体が転動する傾斜路が備えられ、第１と第２の分岐通路は、傾斜路における遊技媒体の転動方向における２位置から下方に延びるように形成されたところに特徴を有する。
【００１１】
請求項６の発明は、請求項１乃至５の何れか１の請求項に記載の遊技機において、パネルには、後方に突出し、少なくとも一部を選択演出用視認部として区画する区画リブが備えられ、透過性を有し、区画リブの内面に面当接した状態に組み付けられる分岐ケースが転動演出枠と別部品にして設けられ、分岐ケースの内部に選択分岐部を備えたところに特徴を有する。
【発明の効果】
【００１２】
請求項１の遊技機では、転動部の後方のパネルに選択演出用視認部を設けて、その選択演出用視認部の後方に選択分岐部を配置したので、従来のように転動部が選択分岐部等によって狭められる虞が低減し、それでいて、僅かな視線の移動で転動部における遊技媒体の転動動作と選択分岐部における振分処理との両方を視認することができる。即ち、本発明の遊技機によれば、転動動作の趣向性を下げずに、遊技を長時間に亘って楽しませることが可能になる。しかも、パネルに設けられた情報報知用視認部の後方には、遊技状態を遊技者に報知する遊技情報報知部が配置されているので、遊技媒体の転動動作と振分処理との両方に加え、遊技情報報知部にて報知される遊技状態の情報も、僅かな視線の移動で視認することができる。また、転動部から選択演出部への遊技媒体の移動を禁止し、分岐選択用受入口から入球した遊技媒体が選択演出部に受け入れられるため、転動部で転動する遊技媒体により特典を付与するなどの虞を低減することが可能である。
【００１３】
請求項２の遊技機では、パネルに、視認部以外の部材を視認不能とする又は視認し難くするカバー装飾部を備えているので、遊技者が視認する必要があまりない別部材を視認する虞を低減することができる。ここで、仮に、パネルの後方を視認可能な構成とした場合には、遊技盤の後方にある別部材が目に入り、情報過多となって遊技者の疲労が増す虞が生じるが、本発明の遊技機では、そのような虞を低減することが可能である。
【００１４】
請求項３の遊技機では、情報報知用視認部と選択演出用視認部とが、転動部の延びている左右方向に並んで設けられているため、例えば、転動部上での遊技媒体の転動方向に沿って情報報知用視認部と選択演出用視認部とを視認することが可能である。
【００１５】
請求項４の遊技機では、選択分岐部における第１と第２の分岐通路が、転動部が延びた方向、即ち、転動部における遊技媒体の転動方向でもある遊技盤の左右方向に並べて配置されている。これにより、選択分岐部と転動部の両方において、遊技媒体の左右方向の動作に着目させることができ、統一感を有した遊技媒体の動作による演出を提供することができる。
【００１６】
請求項５の遊技機の転動部の少なくとも一部は、転動演出枠の少なくとも一方の端部側から他方の端部方向に向かって下るように傾斜し、転動部の下るように傾斜している部分の後方側に選択分岐部が位置しており、選択分岐部には、前記傾斜する方向と略同一又は同一の方向に下るように傾斜して遊技媒体が転動する傾斜路が備えられているので、統一感を有した遊技媒体の動作による演出を提供することができる。
【００１７】
請求項６の遊技機では、パネルの後方に突出して備えられた区画リブによって、パネルの少なくとも一部が選択演出用視認部として区画されているので、選択演出用視認部とそれ以外の境界が明確になる。そして、選択分岐部を内部に備えた分岐ケースが、区画リブの内面に面当接した状態に組み付けられるので、分岐ケースとパネルとの一体感を高めることができる。
【図面の簡単な説明】
【００１８】
【図１】本発明の一実施形態に係るパチンコ遊技機の正面図
【図２】遊技盤の正面図
【図３】表示装飾枠の斜視図
【図４】パネルの後面側の斜視図
【図５】パネルの後面側の分解斜視図
【図６】選択ボックスの斜視図
【図７】選択ボックスの分解斜視図
【図８】選択ボックスの分解斜視図
【図９】選択ボックスの分解斜視図
【図１０】選択ボックスの内部を透視した正面図
【図１１】選択ボックスの平面図
【図１２】表示装飾枠の下端部の正面図
【発明を実施するための形態】
【００１９】
［第１実施形態］
以下、図１〜図１２に基づいて、本発明を適用したパチンコ遊技機１０に係る一実施形態を説明する。なお、以下の説明において、遊技者がパチンコ遊技機１０と対向する方向を「前後方向」といい、パチンコ遊技機１０のうち遊技者と対向する面を「前面」、その反対側の面を「後面」ということとする。また、パチンコ遊技機１０を構成する各部位又は各部品の説明において「右側」とは、パチンコ遊技機１０の前面側からその各部位又は各部品を見た場合の右側をいい、その反対側を「左側」ということとする。
【００２０】
パチンコ遊技機１０の前面の中央部分にはガラス窓９５Ｗが設けられ、そのガラス窓９５Ｗを通して遊技領域Ｒ１が視認可能となっている。また、パチンコ遊技機１０の前面のうちガラス窓９５Ｗの上部及び両側部には装飾ランプ３３が設けられている。さらに、ガラス窓９５Ｗの下方には、上皿２７Ａ及び下皿２７Ｂが上下２段にして設けられ、上皿２７Ａの両側方にはスピーカ３０，３０が設けられている。
【００２１】
遊技領域Ｒ１は、図２に示した遊技盤１１の前面に備えられている。遊技盤１１は、全体が略四角形の平板状になっていて、遊技領域Ｒ１は、遊技盤１１の前面に取り付けたガイドレール１２によって囲まれ、全体が略円形になっている。また、遊技領域Ｒ１のうち左側上端寄り位置には、ガイドレール１２に遊技球進入口１２Ｋが設けられている。そして、パチンコ遊技機１０の前面右下に備えた操作ノブ２８（図１参照）を回動操作すると、上皿２７Ａに貯留された遊技球が、順次、遊技球進入口１２Ｋから遊技領域Ｒ１内に打ち込まれ、操作ノブ２８の回動操作量に応じて遊技球の打ち込み強度が変わる。
【００２２】
遊技領域Ｒ１の略中央には、表示装置１３を主要部としたセンター役物１３Ｙが備えられている。また、遊技領域Ｒ１のうちセンター役物１３Ｙの下方には、第１種始動入賞口１４Ａ、第１種大入賞口１５及びアウト口１６が上から順に並べて設けられ、第１種始動入賞口１４Ａの左側方には、１対の一般入賞口２０，２１が設けられている。さらには、遊技領域Ｒ１のうちセンター役物１３Ｙの右側方領域における上端寄り位置には、始動ゲート１８が設けられ、その始動ゲート１８の下方に第２種始動入賞口１４Ｂが設けられている。なお、遊技領域Ｒ１には、略全体に亘って複数の釘が起立している。
【００２３】
次に所要の各部位についてさらに詳説する。始動ゲート１８は、遊技球が１つずつ潜って通過可能な門形構造をなしている。一般入賞口２０，２１及び第１種始動入賞口１４Ａは、遊技盤１１の前面から突出した部材の上面を、遊技球が丁度１つ入球可能な大きさに開口させた、所謂、ポケット構造をなしている。第２種始動入賞口１４Ｂは、前記したポケット構造の上面開口の両側部に１対の可動翼１４Ｇ，１４Ｇを回動可能に備えてなり、通常は、起立状態になった１対の可動翼１４Ｇ，１４Ｇと釘１７とによって遊技球の入球が禁止されている。そして、後述する所定条件の成立により、１対の可動翼１４Ｇ，１４Ｇが左右に倒れ（可動翼１４Ｇ，１４Ｇが開き）、それら可動翼１４Ｇ，１４Ｇをガイドにして遊技球が第２種始動入賞口１４Ｂに入球可能になる。
【００２４】
第１種大入賞口１５は、横長の長方形状をなして遊技盤１１の前面に配置され、常には、可動扉１５Ｔにて閉塞されている。そして、後述する所定条件の成立により、可動扉１５Ｔが前側に倒れて第１種大入賞口１５が開放し、可動扉１５Ｔをガイドにして第１種大入賞口１５に遊技球が入賞可能になる。
【００２５】
なお、上記した一般入賞口２０，２１、第１及び第２種の始動入賞口１４Ａ，１４Ｂ、第１種大入賞口１５の内部には、遊技球の入球を検出するための図示しない検出スイッチが備えられていて、これら一般入賞口２０，２１に遊技球が入球する毎に所定複数の遊技球（賞球）が上皿２７Ａに払い出される。また、始動ゲート１８の内部にも、図示しない検出スイッチが備えられているが、始動ゲート１８内を遊技球が通過した場合には、賞球は払い出されない。
【００２６】
表示装置１３は、液晶モジュール（詳細には、ＴＦＴ−ＬＣＤモジュール）であって、遊技盤１１に貫通形成された表示孔１１Ａの奥部に配置され、遊技盤１１の後面に固定された図示しない液晶支持部材に支持されている。また、遊技盤１１の前面のうち表示孔１１Ａの開口縁には、表示装飾枠２３（本発明の「転動演出枠」に相当する）が取り付けられ、その表示装飾枠２３を通して、表示装置１３の液晶画面１３Ｇが前方に臨んでいる。そして、これら表示装飾枠２３と表示装置１３とから上記したセンター役物１３Ｙが構成されている。
【００２７】
表示装飾枠２３は、遊技盤１１の前面から表示孔１１Ａ内に嵌合されかつ、外側面に備えた固定突壁２３Ｆを遊技盤１１の前面に重ねた状態に組み付けられて、表示装飾枠２３に貫通させたビスにて遊技盤１１に固定されている。
【００２８】
図３に示すように、表示装飾枠２３の両側辺部２３Ｓ，２３Ｓは、鉛直方向と略平行に延びている。また、表示装飾枠２３の上辺部２３Ｊは、その下面が１対の両側辺部２３Ｓ，２３Ｓの間で水平に延びる一方、その上面が上方に向かって膨らんだ円弧状になっている。そして、上辺部２３Ｊから両側辺部２３Ｓ，２３Ｓにおける上下方向の中間位置に亘る範囲をガラス窓９５Ｗ（図１参照）のガラス板（図示せず）に近接する位置まで前方に突出させて進入規制突壁２３Ｋが形成され、この進入規制突壁２３Ｋにより、遊技球が表示装飾枠２３の上方及び両側方から内側に進入することを規制している。これに対し、下辺部２３Ｄの前面は、遊技盤１１の前面から僅かに前方に位置し、その下辺部２３Ｄの前面とガラス窓９５Ｗ（図１参照）のガラス板（図示せず）との間には、遊技球が１つ通過する分の空間が設けられている。
【００２９】
表示装飾枠２３の下辺部２３Ｄにおける上面は、左右方向の略均一の幅をなして延び、その下辺部２３Ｄの上面における左端部には、ワープ管路４０が重ねて配置される一方、下辺部２３Ｄの上面における右端部には、入賞案内管路４１が重ねて配置されている。そして、下辺部２３Ｄの上面のうち左右の端部を除く全体が本発明に係る転動部３５になっている。
【００３０】
転動部３５は、その左右方向における中央位置の両側に２つの底部を有し、左右方向の両端部から各底部に向かって緩やかに下るように傾斜すると共に、２つの底部の間が上方に向かって僅かに膨出している。なお、表示装飾枠２３の下辺部２３Ｄの下面も、表示装飾枠２３の上面の転動部３５と同様に左右方向の両端部から中央寄り位置に向かって緩やかに下るように傾斜した形状になっている。
【００３１】
転動部３５の幅（前後方向の幅）は、遊技球が１つだけ収まる大きさをなし、転動部３５の前縁部からは、遊技球が転動部３５から前方に転落することを規制するための転落規制突条３５Ｔが突出している。その転落規制突条３５Ｔのうち転動部３５の２つの底部の前方部分が切除されて１対の前端転動排出部３５Ａ，３５Ａが形成され、それら前端転動排出部３５Ａ，３５Ａを通して遊技球が転動部３５から前方に転落するようになっている。
【００３２】
ワープ管路４０は、例えば、透明でかつ断面略円形のパイプ状をなし、進入規制突壁２３Ｋの左辺部分の下面から下方に向かい、途中で転動部３５側に湾曲し、下端開口４０Ｂが転動部３５側を向いて開口している。また、ワープ管路４０の下端部の内面底部は転動部３５と面一になっていて、さらに、ワープ管路４０の上端部には、前面側を向いた開口が備えられ、その開口が側辺部２３Ｓのうち進入規制突壁２３Ｋの下方に取り付けられた樋部材４０Ｃによって覆われ、その樋部材４０Ｃの内部とワープ管路４０の内部とが連通している。そして、樋部材４０Ｃのうち左側方を向いた面は開放して転動用受入口４０Ａをなし、遊技領域Ｒ１から転動用受入口４０Ａに入球した遊技球が、下端開口４０Ｂから排出されて、転動部３５上を転動するようになっている。
【００３３】
入賞案内管路４１は、転動部３５の右端部を前後に横切るように延び、その前端部が表示装飾枠２３の下辺部２３Ｄにおける前面より突出した位置で右側方に屈曲して下辺部２３Ｄの前面に沿って延び、さらに、その先端から鉛直上方に屈曲して進入規制突壁２３Ｋの右辺部分の下端部まで延びている。そして、入賞案内管路４１の上端部は、右側方に向かって開放して本発明の「分岐選択用受入口」に相当する第２種大入賞口１９になっている。一方、入賞案内管路４１の下端部は、転動部３５の後方の次述するパネル４２に接続されてその末端が、パネル４２の後面に開口した中継排出口４３Ｂ（図５参照）になっている。
【００３４】
第２種大入賞口１９の下端部開口縁には、可動扉１９Ｔが回動可能に取り付けられている。そして、可動扉１９Ｔが、図示しないソレノイドを駆動源にして下端部の回動軸１９Ｊを中心に回動し、第２種大入賞口１９を閉塞した閉姿勢と、その閉姿勢から略６０度外側に回動して開いた開姿勢とに切り替わるようになっている。
【００３５】
入賞案内管路４１のうち第２種大入賞口１９より僅かに下方で鉛直方向に延びた部分には、検出スイッチ５４が設けられている。検出スイッチ５４は、前記した一般入賞口２０，２１等や後述する選択ボックス５２（図６。本発明の「選択分岐部」に相当する）に備えた検出スイッチ５４と同じもので、この検出スイッチ５４によって第２種大入賞口１９への遊技球の入球を検出するようになっている。検出スイッチ５４の形状等に関しては、選択ボックス５２の構造と共に後述する。
【００３６】
表示装飾枠２３のうち下辺部２３Ｄ及び両側辺部２３Ｓ，２３Ｓの下端部に亘る範囲の後面には、パネル４２が重ねて取り付けられている。パネル４２は、転動部３５の後端部と直交した状態になって、転動部３５上の遊技球が後側に移動しないように規制している。また、パネル４２の上縁部は、表示装飾枠２３の両側辺部２３Ｓ，２３Ｓの下端部の間で略水平に延びている。そして、表示装飾枠２３のうちパネル４２と両側辺部２３Ｓ，２３Ｓ及び上辺部２３Ｊとに囲まれた横長の略長方形の領域が、液晶画面１３Ｇを前方に臨ませるための液晶表示窓２３Ｗになっている。
【００３７】
図４には、パネル４２を後方から見た状態が示されている。同図に示すように、パネル４２の下面は、その左右方向の両端部から中央寄り位置に向かって緩やかに下るように傾斜した形状になっている。また、パネル４２の両側面は、鉛直方向に延びている。そして、パネル４２の下面が表示装飾枠２３における下辺部２３Ｄの下面と略面一になると共に、パネル４２の両側面が表示装飾枠２３における両側辺部２３Ｓ，２３Ｓの外側面と略面一になるように配置されて、図示しない螺子にてパネル４２が表示装飾枠２３に固定されている。
【００３８】
より具体的には、パネル４２は、例えば、透明な樹脂製の透過パネル４３の後面側に、非透明な樹脂製の装飾パネル４７（本発明の「カバー装飾部」に相当する）を重ね合わせてなるパネル本体４２Ｈに、電飾基板５０と選択ボックス５２とを組み付けて構成されている。図５に示すように、透過パネル４３は、透過パネルプレート４３Ａの後面から外縁リブ４４と区画リブ４５とを突出させた構造になっている。外縁リブ４４は、透過パネルプレート４３Ａの後面外縁部のうち、透過パネル４３を後方から見て、透過パネルプレート４３Ａの下辺の左端部寄り位置を除く全体に亘って設けられている。また、区画リブ４５は、外縁リブ４４のうち透過パネルプレート４３Ａの左側端部寄り位置の切り欠き部分の両端部から上方に延びた１対の側方区画部４５Ａ，４５Ａの上端部間を上方区画部４５Ｂにて連絡した構造になっている。そして、この区画リブ４５により、透過パネルプレート４３Ａの一部が選択演出用視認部４３Ｗとして他の部分から区画されている。また、透過パネル４３を後方から見て選択演出用視認部４３Ｗにおける上端部左寄り位置には、前記した入賞案内管路４１の中継排出口４３Ｂが開口している。
【００３９】
透過パネルプレート４３Ａの前面における左右方向の中央には、その上下方向の中間部から下端部に亘ってガイド溝４６Ｍが陥没形成され、そのガイド溝４６Ｍの真裏が縦長膨出部４６になっている。そして、図３に示すように、ガイド溝４６Ｍの上端部が転動部３５より上方に位置して始端開口４６Ｘになっている。このガイド溝４６Ｍに対応させて、表示装飾枠２３の下辺部２３Ｄにおける転動部３５の下方にはガイド通路４６Ｒが備えられ、そのガイド通路４６Ｒの後端部がガイド溝４６Ｍに連絡される一方、ガイド通路４６Ｒの前端部が下辺部２３Ｄの前面のうち第１種始動入賞口１４Ａの真上となる位置で開口して終端開口４６Ｙになっている。そして、転動部３５から始端開口４６Ｘに入球した遊技球が終端開口４６Ｙから第１種始動入賞口１４Ａに向けて排出される。
【００４０】
図４に示すように、装飾パネル４７は、透過パネルプレート４３Ａの後面に重ねられる装飾パネルプレート４７Ａを備えている。装飾パネルプレート４７Ａは、透過パネルプレート４３Ａから区画リブ４５に対応した部分と、縦長膨出部４６に対応した部分とを切り欠いて第１切欠部４７Ｂと第２切欠部４７Ｄを備えた形状になっている。また、装飾パネルプレート４７Ａの外縁部と第１切欠部４７Ｂの開口縁とには、後方に突出した外縁リブ４８が備えられ、その外縁リブ４８がパネル４２のうち外縁リブ４４と区画リブ４５とに囲まれた部分の内側に嵌合される。
【００４１】
装飾パネルプレート４７Ａのうち後方から見て右側部分には、４つのパネル貫通孔４７Ｃが横１列に並べて設けられ、それらパネル貫通孔４７Ｃ群の近傍から複数の基板台座部４９が後方に向けて突出している。そして、基板台座部４９群の先端に電飾基板５０が宛われた状態で螺子止めされ、電飾基板５０の前面に備えた４つの保留数表示用ＬＥＤ５１（本発明の「遊技情報報知部」に相当する）が４つのパネル貫通孔４７Ｃに後方から対向している。また、透過パネルプレート４３Ａのうち複数のパネル貫通孔４７Ｃに対向した部分は、本発明に係る情報報知用視認部４３Ｖ（図３参照）になっていて、これら情報報知用視認部４３Ｖを通してパチンコ遊技機１０の前面側から保留数表示用ＬＥＤ５１を視認することができる。
【００４２】
図４に示すように、選択ボックス５２は、透過パネル４３のうち区画リブ４５の内側に嵌合した状態に組み付けられている。また、図６には、選択ボックス５２全体を前面側から見た斜視図が示されている。同図に示すように、選択ボックス５２は、右上部に配置された１つの中継入球口５２Ｃと、右下部に配置された第１と第２の分岐排出口５２Ａ，５２Ｂとを備え、中継入球口５２Ｃに取り込んだ遊技球を内部で振り分けて、第１と第２の分岐排出口５２Ａ，５２Ｂの何れか一方から排出する構造になっており、この選択ボックス５２を含めた選択演出に関る部分が、本発明に係る選択演出部に相当する。
【００４３】
具体的には、選択ボックス５２は、透明な樹脂製の分岐ケース５３によって全体を覆われている。そして、分岐ケース５３がパネル４２における区画リブ４５の内側に嵌合され、選択ボックス５２における分岐ケース５３の前面が選択演出用視認部４３Ｗに面当接すると共に、分岐ケース５３の上面及び両側面が区画リブ４５の内面に面当接した状態に組み付けられている。これにより、分岐ケース５３と透過パネルプレート４３Ａとの一体感を高めることができる。
【００４４】
その分岐ケース５３は図７に示すように、前後方向で前側ケース構成体５３Ａと後側ケース構成体５３Ｂとに分割されている。また、前側ケース構成体５３Ａ及び後側ケース構成体５３Ｂには、遊技球が１つ通過する分の間隔を空けて前後方向で互いに対向した前面壁５３Ｄと後面壁５３Ｅとが備えられ、前面壁５３Ｄの外縁部から後方に突出した包囲壁５３Ｆが後面壁５３Ｅの外縁部に突き当てられた状態で前側ケース構成体５３Ａと後側ケース構成体５３Ｂとが図示しない螺子にて固定されている。
【００４５】
中継入球口５２Ｃは、分岐ケース５３の前面右上角部と上面右端部とに跨って形成されている。そして、図４に示すように、選択ボックス５２が透過パネル４３に組み付けられた状態で透過パネル４３の中継排出口４３Ｂと選択ボックス５２の中継入球口５２Ｃとが対向し、入賞案内管路４１を通過した遊技球を選択ボックス５２内に受け入れる。また、第２分岐排出口５２Ｂは、分岐ケース５３の下面の左側端部に配置され、第１分岐排出口５２Ａは、分岐ケース５３の下面のうち第２分岐排出口５２Ｂに対して分岐通路区画壁５５を挟んだ右横に配置されている。その分岐通路区画壁５５は、前面壁５３Ｄから後方に突出した前側区画突壁５５Ａ（図８参照）と後面壁５３Ｅから前方に突出した後側区画突壁５５Ｂ（図７参照）とを合体させてなり、図６に示すように、分岐ケース５３の左寄り端部位置において、その分岐ケース５３の下端部から上端寄り位置まで延びている。また、分岐通路区画壁５５の上面は、左下がりに緩やかに傾斜している。
【００４６】
図８に示すように、分岐通路区画壁５５より遊技球１つ分、中継入球口５２Ｃ側にずれた位置には、分岐側部壁５７が設けられて分岐通路区画壁５５と対向している。また、分岐側部壁５７は分岐通路区画壁５５より低くなっていて、その分岐通路区画壁５５の上端部から中継入球口５２Ｃ側にスイッチ下方支持壁５７Ａが延び、そのスイッチ下方支持壁５７Ａに上方から対向するようにスイッチ上方支持壁５７Ｂが備えられている。さらに、スイッチ上方支持壁５７Ｂのうち分岐通路区画壁５５の端部からは、起立分岐側部壁５７Ｃが上方に直角曲げされている。その起立分岐側部壁５７Ｃの上端部は、分岐通路区画壁５５の上端部と略同一の高さに位置すると共に、起立分岐側部壁５７Ｃにおける分岐通路区画壁５５との対向面と分岐側部壁５７における分岐通路区画壁５５との対向面とが面一になっている。また、分岐通路区画壁５５には、スイッチ下方支持壁５７Ａとスイッチ上方支持壁５７Ｂとに挟まれた空間との対向位置に段付き状にスイッチ先端受容部５５Ｃ（図８参照）が設けられている。さらに、後面壁５３Ｅには、スイッチ下方支持壁５７Ａとスイッチ上方支持壁５７Ｂとに挟まれた空間との対向位置に横長のスイッチ受容溝５３Ｍ（図７参照）が設けられている。そして、図６に示すように、スイッチ下方支持壁５７Ａとスイッチ上方支持壁５７Ｂとの間に検出スイッチ５４が収容され、その検出スイッチ５４の一部がスイッチ先端受容部５５Ｃ（図８参照）とスイッチ受容溝５３Ｍ（図７参照）とに受容されている。
【００４７】
具体的には、図９に示すように、検出スイッチ５４は、全体が扁平直方体状になっていて、その平面形状である長方形の一端寄り位置に、遊技球が１つ通過する分の大きさの円形の挿通孔５４Ｈを有した構造になっている。また、検出スイッチ５４は、その長手方向を選択ボックス５２の左右方向に向けられた状態で、挿通孔５４Ｈが、丁度、分岐側部壁５７と分岐通路区画壁５５との間の空間の真上となる位置に位置決めされている。そして、分岐側部壁５７及びスイッチ上方支持壁５７Ｂと分岐通路区画壁５５とに挟まれかつ挿通孔５４Ｈを含んだ通路が、本発明に係る第１分岐通路５９Ａになっていて、その第１分岐通路５９Ａの下端部が上記した第１分岐排出口５２Ａになっている。なお、検出スイッチ５４には、挿通孔５４Ｈを囲むようにコイルが内蔵されていて、これにより遊技球が挿通孔５４Ｈを通過したことを検出することができる。
【００４８】
図８に示すように、選択ボックス５２のうち分岐通路区画壁５５を挟んで第１分岐通路５９Ａの反対側は第２分岐通路５９Ｂになっている。具体的には、分岐通路区画壁５５のうち第１分岐通路５９Ａの反対側の面には、スイッチ先端受容部５５Ｃより若干低い位置にスイッチ側部受容部５５Ｄが形成され、包囲壁５３Ｆのうちスイッチ側部受容部５５Ｄとの対向位置には、スイッチ側部受容部５３Ｇが形成されている。また、図７に示すように、後面壁５３Ｅには、スイッチ側部受容部５５Ｄ及びスイッチ側部受容部５３Ｇと対応した位置に、横長の長方形のスイッチ挿通孔５３Ｎが貫通形成されている。さらに、前記した第１分岐通路５９Ａの検出スイッチ５４と同構造の検出スイッチ５４が、スイッチ挿通孔５３Ｎに挿通されて両側部をスイッチ側部受容部５５Ｄとスイッチ側部受容部５３Ｇとに支持され、挿通孔５４Ｈが、丁度、分岐通路区画壁５５と包囲壁５３Ｆとの間の空間の真上となる位置に位置決めされている。そして、挿通孔５４Ｈを含み、分岐通路区画壁５５と分岐ケース５３とに挟まれた部分が、本発明に係る第２分岐通路５９Ｂになっていて、その第２分岐通路５９Ｂの下端部が上記した第２分岐排出口５２Ｂになっている。
【００４９】
図８に示すように、スイッチ上方支持壁５７Ｂの上方には、傾斜板部５６が設けられている。傾斜板部５６は、中継入球口５２Ｃの下方位置から起立分岐側部壁５７Ｃの上方位置に向かって緩やかに下るように傾斜して延びた平板状をなしている。そして、中継入球口５２Ｃに入球した遊技球を第１分岐通路５９Ａ側へと案内する。なお、傾斜板部５６の上面が本発明の「傾斜路」に相当する。
【００５０】
図７に示すように、後面壁５３Ｅには、起立分岐側部壁５７Ｃ（図８参照）と傾斜板部５６（図８参照）とに上下方向から挟まれた位置に横長のスリット５８Ｈが形成され、振分部材５８がスリット５８Ｈにスライド可能に支持されている。具体的には、図９に示すように、振分部材５８は、振分部材５８と平行に延びたスライダ５８Ｅのうち第１分岐通路５９Ａ側の端部から前側に可動振分片５８Ａが張り出した構造をなしている。また、スライダ５８Ｅの後面からは後方側にスライド片５８Ｔが突出している。さらに、図８に示すように、後面壁５３Ｅの後面側には、後面蓋５３Ｃが重ねられた状態に固定されている。そして、スライダ５８Ｅが、後面壁５３Ｅと後面蓋５３Ｃとの間に組み付けられて、可動振分片５８Ａがスリット５８Ｈに挿通されて前方に突出すると共に（図７参照）、スライド片５８Ｔが後面蓋５３Ｃ（図９参照）に形成されたガイド溝５８Ｍに受容されて、選択ボックス５２の左右方向に直動可能に支持されている。
【００５１】
後面壁５３Ｅと後面蓋５３Ｃとの間には、スライダ５８Ｅの下方に、振分部材５８を駆動するためのソレノイド６０が組み付けられている。ソレノイド６０は、その左右方向のうち第１分岐通路５９Ａから離れた側の一端面から直動ロッド６１を突出した状態に備えている。そして、ソレノイド６０に通電すると、直動ロッド６１が第１分岐通路５９Ａ側に引き寄せられる一方、通電を停止すると図示しない圧縮コイルバネによって直動ロッド６１が第１分岐通路５９Ａから離れた側に移動するようになっている。また、直動ロッド６１には、図示しない樹脂キャップが装着されて、その樹脂キャップとスライダ５８Ｅのうち可動振分片５８Ａから離れた側の端部とにリンク６２の両端部が回動可能に連結されると共に、そのリンク６２の中間部が分岐ケース５３に備えた図示しない回動支持ピンにて回動可能に支持されている。これにより、直動ロッド６１の直動に伴って振分部材５８が直動する。
【００５２】
図１０（Ａ）及び図１１（Ａ）に示すように、振分部材５８が可動範囲の一端に配置されると、可動振分片５８Ａが傾斜板部５６の下方に収まって第１と第２の分岐通路５９Ａ，５９Ｂの両方が上方に向かって開放し、傾斜板部５６上を転動してきた遊技球が、第１及び第２の分岐通路５９Ａ，５９Ｂの何れにも入球可能になると共に、第２分岐通路５９Ｂより傾斜板部５６に近い第１分岐通路５９Ａの方に遊技球が入球し易い状態になる。一方、図１０（Ｂ）及び図１１（Ｂ）に示すように、振分部材５８が可動範囲の他端に配置されると、可動振分片５８Ａが傾斜板部５６の先端側から第１分岐通路５９Ａ側に張り出し、その第１分岐通路５９Ａを遊技球が入球することを禁止して、第２分岐通路５９Ｂのみに遊技球が入球可能な状態になる。
【００５３】
ここで、可動振分片５８Ａが傾斜板部５６の下方から第１分岐通路５９Ａ側に移動する際に分岐通路区画壁５５及び第１分岐通路５９Ａの挿通孔５４Ｈと可動振分片５８Ａとの間に遊技球が挟まってホールドされる事態を避けるために、可動振分片５８Ａ及び分岐通路区画壁５５には、以下のような構造が備えられている。即ち、図１１（Ａ）に示すように、可動振分片５８Ａの先端縁５８Ｄは、円弧状になっている。そして、その先端縁５８Ｄのうち最も第２分岐通路５９Ｂ側の頂点と、挿通孔５４Ｈのうち最も第２分岐通路５９Ｂ側の頂点とが選択ボックス５２の前後方向でずれ、かつ、上下方向でもずれている。これにより、図１１（Ｃ）に示すように、挿通孔５４Ｈの内面と可動振分片５８Ａの先端縁５８Ｄとの間に遊技球が挟まっても、挿通孔５４Ｈの内面と遊技球との接点Ｐ２と可動振分片５８Ａの先端縁５８Ｄと遊技球との接点Ｐ１とが、可動振分片５８Ａの直動方向に並ばなくなり、遊技球がホールドされ難くなる。また、図１０（Ｃ）に示すように、可動振分片５８Ａの先端下面にガイド傾斜面５８Ｃが形成されていて、可動振分片５８Ａが遊技球を押圧した際に遊技球が下方に案内されるようになっている。さらに、分岐通路区画壁５５には、検出スイッチ５４における挿通孔５４Ｈの開口縁を覆う１対の傾斜突壁５５Ｇ，５５Ｇが備えられ、それら傾斜突壁５５Ｇの上面が検出スイッチ５４に向かって傾斜しかつ、若干、上方に膨らむように丸みを帯びている。これにより、傾斜突壁５５Ｇ上から挿通孔５４Ｈ内に遊技球が滑り落ち易くなっている。また、図１０（Ｂ）に示すように、可動振分片５８Ａが第１分岐通路５９Ａを閉じた状態でその可動振分片５８Ａの上面をスムーズに遊技球が転動するように、可動振分片５８Ａの上面には、傾斜面５８Ｂが備えられている。
【００５４】
本実施形態のパチンコ遊技機１０では、第１と第２の分岐通路５９Ａ，５９Ｂの何れに遊技球が通過した場合も、共に所定複数の遊技球が上皿２７Ａに払い出される。そして、可動扉１９Ｔが１度開いてから閉じるまでの間に、第１分岐通路５９Ａに１つでも遊技球が入球すれば、遊技者にとって有利な特典が付与されるようになっている。即ち、選択ボックス５２は、遊技球が分岐して流下する経路の相違によって、遊技者に特典を付与するか否かの抽選を行うようになっている。以下、パチンコ遊技機１０の全体の遊技の内容と合わせて、選択ボックス５２にて抽選される特典の内容について説明する。
【００５５】
即ち、可動扉１９Ｔは通常閉じていて、その可動扉１９Ｔを開くには、第２種始動入賞口１４Ｂに遊技球を入球させる必要がある。しかしながら、その第２種始動入賞口１４Ｂは可動翼１４Ｇ，１４Ｇによって通常は閉じられていて、その可動翼１４Ｇ，１４Ｇを開くには、始動ゲート１８に遊技球を通過させて、可動翼１４Ｇ，１４Ｇを開くか否かの当否判定をパチンコ遊技機１０に行わせる必要がある。ところが、通常の遊技状態では、始動ゲート１８に遊技球が通過して当りの当否判定結果を得ても、可動翼１４Ｇ，１４Ｇは１秒未満の短時間しか開かないので、実質的には、第２種始動入賞口１４Ｂに遊技球が入球することはなく、可動扉１９Ｔも開くことはない。
【００５６】
しかしながら、パチンコ遊技機１０が通常の遊技状態から第２種遊技実行可能状態に切り替わると、始動ゲート１８に遊技球が通過して当りの当否判定結果を得たときに、可動翼１４Ｇ，１４Ｇが、数秒間に亘って開き、第２種始動入賞口１４Ｂに遊技球が入球可能になる。その第２種遊技実行可能状態にするには、第１種始動入賞口１４Ａに遊技球を入球させて第１種大当り遊技を実行させる必要がある。
【００５７】
第１種始動入賞口１４Ａに遊技球が入球すると、以下の場合に第１種大当り遊技が実行される。即ち、第１種始動入賞口１４Ａに遊技球が入球すると、「第１種大当り遊技」を行うか否かを決定する第１種当否判定権が発生し、その当否判定結果が表示画面１３Ｇに表示される。具体的には、図２に示すように、液晶画面１３Ｇには、通常、３つの左、中、右の第１特別図柄１３Ａ，１３Ｂ，１３Ｃが横並びに表示されている。これら各第１特別図柄は、例えば、「０」〜「９」の数字を表記した複数種類のもので構成されており、通常は、各第１特別図柄１３Ａ，１３Ｂ，１３Ｃごと、所定の種類のものが停止表示されている。そして、第１種始動入賞口１４Ａに遊技球が入球したときに、これら３つの第１特別図柄１３Ａ，１３Ｂ，１３Ｃが、変動表示（上下方向にスクロール表示）され、当否判定結果に基づいて所定時間後に、例えば、左、中、右の順で各第１特別図柄１３Ａ，１３Ｂ，１３Ｃが停止表示される。このとき、当否判定結果が「当り」の場合には、例えば、全ての第１特別図柄１３Ａ，１３Ｂ，１３Ｃが同じ図柄、即ち、ゾロ目になり（図２参照）、「第１種大当り遊技」が実行される。これに対し、当否判定結果が「外れ」の場合には、ゾロ目以外の組み合わせで停止表示され、通常の遊技状態が続く。
【００５８】
なお、第１種大当り遊技が実行されると、可動扉１５Ｔが前側に倒れて第１種大入賞口１５が開放し、可動扉１５Ｔをガイドにして第１種大入賞口１５に遊技球が入球可能になる。ここで、可動扉１５Ｔが開放してから閉じるまでの間を「ラウンド」と称すると、１つのラウンドは、可動扉１５Ｔの開放時間が３０秒に達したか、又は、第１種大入賞口１５に遊技球が１０個入球したかの何れかの終了条件が先に満たされた場合に終了する。また、「第１種大当り遊技」は、最大で、例えば１６ラウンドまで継続される。
【００５９】
また、液晶画面１３Ｇにて第１特別図柄１３Ａ，１３Ｂ，１３Ｃが変動表示している最中又は「第１種大当り遊技」の最中に第１種始動入賞口１４Ａに入球した遊技球の数は、例えば、４つまで累積カウントされ、即ち、第１種当否判定権が４つまで保留され、その保留数がパネル４２の情報報知用視認部４３Ｖ（図１２参照）を通して視認可能な保留数表示用ＬＥＤ５１（図５参照）の点灯した数によって表示される。そして、第１特別図柄１３Ａ，１３Ｂ，１３Ｃが外れの図柄組み合わせで停止表示されるか又は「第１種大当り遊技」が終了すると、その保留されている第１種当否判定権に基づいて再び、第１特別図柄１３Ａ，１３Ｂ，１３Ｃの変動表示が開始される。
【００６０】
第１種大当り遊技の１６ラウンドが終了すると、パチンコ遊技機１０が、通常の遊技状態から第２種遊技実行可能状態に切り替わる。すると、上記したように始動ゲート１８に遊技球が通過して行われる当否判定の当否判定結果が当りであったときに、可動翼１４Ｇ，１４Ｇが、数秒間に亘って開き、第２種始動入賞口１４Ｂに遊技球が入球可能になる。詳細には、始動ゲート１８を遊技球の通過すると、第２種始動入賞口１４Ｂの可動翼１４Ｇ，１４Ｇを開くか否かの判定を行う普通図柄当否判定権が発生し、その当否判定結果が液晶画面１３Ｇにおける右下角部に備えた普通図柄表示領域３８（図２及び図１２参照）に表示される。具体的には、普通図柄表示領域３８において、例えば、「０」〜「９」までの数字を所定期間に亘って変動表示した後、所定の数字を確定表示する。そして、確定表示された数字が、例えば、奇数の場合には、「当り」となり第２種始動入賞口１４Ｂの可動翼１４Ｇ，１４Ｇが数秒間に亘って開放状態になる。また、普通図柄表示領域３８が変動表示している間に始動ゲート１８を通過した遊技球は、例えば、４つまで累積カウントされ、即ち、普通図柄当否判定権が４つまで保留記憶され、その保留数が図示しない保留数表示部に表示される。そして、普通図柄表示領域３８が外れ数字で停止表示されるか又は後述する「第２種大当り遊技」が終了すると、その保留されている普通図柄当否判定権に基づいて再び、普通図柄表示領域３８の変動表示が開始される。
【００６１】
第２種始動入賞口１４Ｂに遊技球が入球すると、第２種大入賞口１９の可動扉１９Ｔを開くか否かを決定する第２種当否判定権が発生し、その当否判定結果は、液晶画面１３Ｇにおける右上角部に備えた第２特別図柄表示領域３９（図２参照）に表示される。具体的には、図２に示すように、第２特別図柄表示領域３９には、通常、２つの左、右の第２特別図柄３９Ａ，３９Ｂが横並びに表示されている。これら各第２特別図柄は、例えば、「０」〜「９」の数字を表記した複数種類のもので構成されており、通常は、各第２特別図柄３９Ａ，３９Ｂごと、所定の種類のものが停止表示されている。そして、第２種始動入賞口１４Ｂに遊技球が入球したときに、これら２つの第２特別図柄３９Ａ，３９Ｂが、変動表示（上下方向にスクロール表示）され、当否判定結果に基づいて所定時間後に、例えば、左、右の順で各第２特別図柄３９Ａ，３９Ｂが停止表示される。このとき、当否判定結果が「当り」の場合には、例えば、２つの第２特別図柄３９Ａ，３９Ｂが同じ図柄、即ち、ゾロ目になり（図２参照）、第２種大入賞口１９の可動扉１９Ｔが数秒間に亘って開放される。これに対し、当否判定結果が「外れ」の場合には、ゾロ目以外の組み合わせで停止表示され、通常の遊技状態が続く。また、液晶画面１３Ｇにて第２特別図柄３９Ａ，３９Ｂが変動表示している最中に第２種始動入賞口１４Ｂに入球した遊技球の数は、例えば、４つまで累積カウントされ、即ち、第２種当否判定権も４つまで保留され、その保留数が図示しない保留数表示部に表示される。そして、第１種当否判定権の保留と同様に、第２特別図柄３９Ａ，３９Ｂが外れの図柄組み合わせで停止表示されるか又は後述する「第２種大当り遊技」が終了すると、その保留されている第２種当否判定権に基づいて再び、第２特別図柄３９Ａ，３９Ｂの変動表示が開始される。
【００６２】
可動扉１９Ｔが数秒間に亘って開くと、可動扉１９Ｔを案内にして第２種大入賞口１９に遊技球が入球可能になる。また、可動扉１９Ｔの開放時間が２秒に達したか、又は、第２種大入賞口１９に遊技球が５個入球したかの何れかの終了条件が先に満たされた場合に可動扉１９Ｔが閉じる。そして、遊技球が第２種大入賞口１９に入球すると、傾斜板部５６上を下って第１と第２の分岐通路５９Ａ，５９Ｂの何れに入球するかによって、遊技者に「第２種大当り遊技」を実行するか否かの抽選を行う。具体的には、第１分岐通路５９Ａに入球した場合に、「第２種大当り遊技」が実行される。また、可動扉１９Ｔが開いてから１秒経過したか、又は、第１分岐通路５９Ａに遊技球が１球入球したかの何れかの条件が先に満たされた場合、振分部材５８の可動振分片５８Ａが第１分岐通路５９Ａを塞ぎ、第２分岐通路５９Ｂのみに遊技球が入球可能になる。すなわち、第２種大入賞口１９の可動扉１９Ｔが開放してから１秒以内に第１分岐通路５９Ａに入賞した場合が「当り」、入賞しなかった場合が「外れ」となる。なお、第２種大当り遊技が実行されると、「第１種大当り遊技」と同様に第１種大入賞口１５に遊技球が入球可能になり、最大１６ラウンドまで継続される。
【００６３】
本実施形態のパチンコ遊技機１０の構成に関する説明は以上である。次に、本実施形態のパチンコ遊技機１０の作用効果について説明する。遊技者は、パチンコ遊技機１０にて遊技を開始すると、通常の遊技状態から第２種遊技実行可能状態に切り替えるために第１種大当り遊技を実行させるべく、第１種始動入賞口１４Ａに遊技球が入球することを狙って操作ノブ２８を操作する。具体的には、表示装飾枠２３より左側に遊技球を流下させる方が、右側に遊技球を流下させるより第１種始動入賞口１４Ａに入球し易くなるので、遊技開始直後は、表示装飾枠２３より左側に遊技球を流下させるように操作ノブ２８を操作する、所謂、左打ちを行う。そして、その左打ちされた遊技球の中でも、転動用受入口４０Ａから転動部３５を経由してパネル４２の始端開口４６Ｘに入球した遊技球が、最も第１種始動入賞口１４Ａに入球し易くなる。このため、遊技者は、左打ちされた遊技球が転動用受入口４０Ａに入球して転動部３５上を転動し、その遊技球がパネル４２の始端開口４６Ｘに入球するか、或いは、始端開口４６Ｘに入球せずに前端転動排出部３５Ａから落下するかを注目することになる。
【００６４】
第１種始動入賞口１４Ａに遊技球が入球すると、第１種当否判定権が付与されて第１種当否判定が行われ、その当否判定結果が当りであれば、第１種大当り遊技が実行される。また、保留された第１種当否判定権の保留数は、パネル４２における情報報知用視認部４３Ｖの後方の保留数表示用ＬＥＤ５１の点灯により知ることができる。第１種大当り遊技が実行された後は、第２種遊技実行可能状態に切り替わる。すると、遊技者は、第２種始動入賞口１４Ｂに遊技球が入球すること狙って表示装飾枠２３より右側に遊技球を流下させるように操作ノブ２８を操作する、所謂、右打ちを行う。そして、第２種始動入賞口１４Ｂに入球すると、第２種当否判定権が付与されて第２種当否判定が行われ、当りであれば、第２種大当り遊技が実行される。
【００６５】
第２種大当り遊技が実行されると、可動扉１９Ｔが開き、第２種大入賞口１９に遊技球が入球する。すると、第２種大入賞口１９から選択ボックス５２内に遊技球が取り込まれ、そこで、遊技球が第１と第２の分岐通路５９Ａ，５９Ｂの何れかに振り分けられ、第１分岐通路５９Ａを遊技球が通過した場合に限り、第２種遊技実行可能状態が継続されるか否かの判定を受ける第２種遊技継続判定権が付与される。それら第１と第２の分岐通路５９Ａ，５９Ｂへの振分処理は、パネル４２の情報報知用視認部４３Ｖを通して視認することができる。
【００６６】
このように本実施形態のパチンコ遊技機１０では、転動部３５の後方のパネル４２に選択演出用視認部４３Ｗを設けて、その選択演出用視認部４３Ｗの後方に選択ボックス５２を配置したので、従来のように転動部３５が選択ボックス５２によって狭められることがなくなり、それでいて、転動部３５の一部を選択ボックス５２とした場合と略同様の僅かな視線の移動で転動部３５における遊技球の転動動作と選択ボックス５２における振分処理との両方を視認することができる。即ち、本実施形態のパチンコ遊技機１０によれば、転動動作の趣向性を下げずに、遊技を長時間に亘って楽しませることが可能になる。しかも、パネル４２に設けた情報報知用視認部４３Ｖの後方には、遊技状態を遊技者に報知する保留数表示用ＬＥＤ５１が配置されているので、遊技球の転動動作と振分処理との両方に加え、保留数表示用ＬＥＤ５１にて報知される遊技状態の情報（例えば、保留数の情報）も、僅かな視線の移動で視認することができる。また、パネル４２には、遊技者にとって遊技球を有利に流下させるための始端開口４６Ｘが開口しているので、遊技球の転動動作と振分処理と保留数表示用ＬＥＤ５１の情報とに加え、始端開口４６Ｘに遊技球が流入するか否かも、僅かな視線の移動で視認することができる。
【００６７】
また、情報報知用視認部４３Ｖと選択演出用視認部４３Ｗとが、転動部３５の延びている左右方向に並んで設けられているため、例えば、転動部３５上での遊技媒球の転動方向に沿って情報報知用視認部４３Ｖと選択演出用視認部４３Ｗとを視認することが可能である。さらに、選択ボックス５２では第１と第２の分岐通路５９Ａ，５９Ｂが、転動部３５が延びた方向、即ち、転動部３５における遊技球の転動方向でもある遊技盤１１の左右方向に並べて配置されているので、選択ボックス５２と転動部３５の両方において、遊技球の左右方向の動作に着目させることができ、統一感を有した遊技球の動作による演出を提供することができる。しかも、転動部３５は、表示装飾枠２３の左右方向の両端部から中央に向かって下るように傾斜し、分岐ケース５３には、表示装飾枠２３の左右方向の一端部から中央に向かって下るように傾斜した傾斜板部５６が備えられているので、この点においても統一感を有した遊技球の動作による演出を提供することができる。また、表示装飾枠２３の進入規制突壁２３Ｋにおける右側辺部と左側辺部とに第２種大入賞口１９と転動用受入口４０Ａとを分けて配置したので、遊技領域のうち表示装飾枠２３の右側の領域を遊技球が流下する場合と、表示装飾枠２３の左側の領域を遊技球が流下する場合とのぞれぞれで、遊技球の流下状態に興味を抱かせることができる。
【００６８】
また、仮に、パネル４２全体の後方を視認可能な構成とした場合には、遊技盤１１の後方に備えられた図示しない基板等の部材や遊技盤１１の後方を流下する遊技球の動作が目に入り、情報過多となって遊技者の疲労が増す虞が生じるが、本実施形態のパチンコ遊技機１０のパネル４２には、各視認部を囲みかつパネル４２の内側を視認不能に隠す装飾パネル４７が設けられているので、そのような虞がなくなる。さらに、透過パネルプレート４３Ａから後方に突出した区画リブ４５によって、透過パネルプレート４３Ａの一部が選択演出用視認部４３Ｗとして区画されているので、選択演出用視認部４３Ｗとそれ以外の境界が明確になる。そして、分岐ケース５３が、区画リブ４５の内面に面当接した状態に組み付けられるので、分岐ケース５３とパネル４２との一体感を高めることができる。また、転動部３５から選択ボックス５２への遊技球の移動を禁止し、第２種大入賞口１９から入球した遊技球が選択ボックス５２に受け入れられるため、転動部３５からの遊技球により特典を付与するなどの虞を低減することが可能である。
【００６９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７０】
（１）前記実施形態では、第１種当否判定権の保留数が、パネル４２における保留数表示用ＬＥＤ５１の点灯数によって表示される構成であったが、第１種当否判定権の保留数に代えて、又は、第１種当否判定権の保留数と共に、２種当否判定権の保留数や、普通図柄当否判定権の保留数がパネル４２に表示されるようにしてもよい。
【００７１】
（２）前記実施形態の選択ボックス５２は、第１及び第２の分岐通路５９Ａ，５９Ｂに上方から遊技球が入球する構造になっていたが、例えば、選択演出用視認部の後側に、後方から前方に向かって下さるように傾斜した傾斜板を設け、その傾斜板の下端部に第１と第２の分岐通路の両入球口を左右に並べて配置した構造や、椀形に湾曲した椀形転動部に中心部に第１及び第２の分岐通路の両入球口を横並びに配置し、椀形転動部内を遊技球が旋回するように転動しながら第１及び第２の分岐通路の何れかの入球口に入球する構造（所謂、「クルーン役物」）にしてもよい。
【００７２】
（３）前記実施形態では、パネル４２は、透過パネル４３にカバー装飾部としての装飾パネル４７を取り付けた構成であったが、パネルを、１枚で構成し、視認部を透明な樹脂で形成し、視認部以外の部分を非透明な樹脂で形成したものにしてもよいし、３つ以上の部品を重ねる構成にしてもよい。
【００７３】
（４）前記実施形態では、選択演出用視認部４３Ｗを透過パネル４３の一画としたが、選択演出用視認部を貫通形成して選択ボックス５２を組み付け、分岐ケース５３の前面をパネルの一部とする構成にしてもよい。
【００７４】
（５）前記実施形態では、選択演出用視認部と情報報知用視認部とは別々に分かれているが、一つの視認領域で両方を構成してもよい。
【００７５】
（６）前記実施形態では、特典は大当たりであったが、例えば、特定の演出や、所謂、リーチ、スーパーリーチ、確変、時短などでもよく、選択ボックス５２の各分岐通路５２Ａ，５２Ｂによって遊技者へ付与する特典の価値が各々異なればよい。
【００７６】
（７）前記実施形態では、パネルは平板形状であったが、少なくとも一部が凹凸形状であってもよい。
【００７７】
（８）転動部は少なくとも一部が傾斜している構成であれば、どのような構成でもよい。
【００７８】
（９）装飾パネル４７により視認不能にされる又は視認し難くされる部材は、基板のほかに、パネルの補強リブやハーネス、遊技媒体通路、駆動役物などでもよい。
【符号の説明】
【００７９】
１０    パチンコ遊技機（遊技機）
１１    遊技盤
２３    表示装飾枠（転動演出枠）
２３Ｋ  進入規制突壁
３５    転動部
４０Ａ  転動用受入口
４１    入賞案内管路
４２    パネル
４３    透過パネル
４３Ａ  透過パネルプレート
４３Ｖ  情報報知用視認部
４３Ｗ  選択演出用視認部
４５    区画リブ
４７    装飾パネル（カバー装飾部）
５２    選択ボックス（選択分岐部）
５３    分岐ケース
５６    傾斜板部（傾斜路）
５８    振分部材
５９Ａ  第１分岐通路
５９Ｂ  第２分岐通路
【要約】
【課題】転動動作の趣向性を下げずに、遊技を長時間に亘って楽しませることが可能な遊技機を提供する。
【解決手段】本発明のパチンコ遊技機１０では、転動部３５の後方のパネル４２に選択演出用視認部４３Ｗを設けて、その選択演出用視認部４３Ｗの後方に選択ボックス５２を配置したので、従来のように転動部３５が選択ボックス５２によって狭められることがなくなり、それでいて、転動部３５の一部を選択ボックス５２とした場合と略同様の僅かな視線の移動で転動部３５における遊技球の転動動作と選択ボックス５２における振分処理との両方を視認することができる。即ち、本発明のパチンコ遊技機１０によれば、転動動作の趣向性を下げずに、遊技を長時間に亘って楽しませることが可能になる。
【選択図】図１２【図１】
0005388388.tif 000002
【図２】
0005388388.tif 000003
【図３】
0005388388.tif 000004
【図４】
0005388388.tif 000005
【図５】
0005388388.tif 000006
【図６】
0005388388.tif 000007
【図７】
0005388388.tif 000008
【図８】
0005388388.tif 000009
【図９】
0005388388.tif 000010
【図１０】
0005388388.tif 000011
【図１１】
0005388388.tif 000012
【図１２】
0005388388.tif 000013